(57)【特許請求の範囲】
【請求項１】
互いに異なる伝播領域を有する複数の基地局と、
移動可能な物品に直接貼着して使用され、ＧＨｚ帯の電波を送受信可能なアンテナを内蔵し、識別子を記憶し、前記複数の基地局のいずれかと無線通信を行う電子札と、
前記電子札の識別子を含む識別情報を生成し、前記複数の基地局の全てから前記電子札に前記識別情報を送信させる電子札制御装置と、
により構成され、
前記電子札は、
通信相手の基地局から受信した識別情報の識別子を確認した後、前記通信相手の基地局に確認信号を送信し、
前記電子札制御装置は、
前記確認信号の受信により前記電子札を管轄する基地局を特定し、
前記電子札制御装置は、前記識別情報に、前記電子札に表示させる表示用情報を含め、
前記電子札は、前記受信した識別情報に含まれる前記表示用情報を表示する、
電子札システム。
【請求項２】
前記電子札制御装置は、
前記複数の基地局が前記識別情報を送信してから所定の時間が経過しても前記複数の基地局のいずれにおいても前記確認信号を受信できない場合に警告処理を行う、
請求項１に記載の電子札システム。
【請求項３】
前記電子札制御装置は、表示装置に、前記電子札を管轄する基地局を示す情報を、前記電子札が貼着された物品を示す情報と対応付けて表示させる、
請求項１または２に記載の電子札システム。
【請求項４】
識別子を記憶する電子札と、
前記電子札と無線通信を行う基地局と、
前記識別子を含む識別情報を前記基地局から前記電子札に送信させる電子札制御装置と、
により構成され、
前記電子札は、
前記基地局から受信した前記識別情報の識別子を確認した後、前記基地局に確認信号を送信し、
前記電子札制御装置は、
前記確認信号が前記基地局に受信されたか否かを判断し、
前記基地局が前記識別情報を送信してから所定の時間が経過しても前記確認信号を受信できない場合に警告処理を行う、
電子札システムであって、
前記電子札制御装置は、
設定されたグループ毎に固有の識別子であるグループＩＤを含む前記識別情報を、各グループに対応する前記基地局から送信させ、
前記電子札は、
自己が所属するグループのグループＩＤと前記基地局から受信した識別情報に含まれるグループＩＤとが一致しない場合には前記確認信号を送信しない、
電子札システム。
【発明の詳細な説明】
【技術分野】
【０００１】
本発明は、電子札システムに関するものである。詳しくは、電子札の識別子を含む識別情報を用いて物品の管理を行うものである。
【背景技術】
【０００２】
従来、店舗に陳列される商品、又は、倉庫に保管される製品等の物品を管理するには、管理者が店舗や倉庫に出向き、商品や製品等を数えた後に、電卓等で、仕入れ個数、販売個数及び売上げ等を計算していた。
【０００３】
特許文献１には、上述の管理を容易にするための、識別子を有する電子札（識別タグ）を用いた商品管理システムが開示されている。この商品管理システムでは、商品管理装置と無線通信可能な応答型の識別タグを各商品に貼着しておく。これらの識別タグは、それぞれに異なった信号を商品管理装置に発信するようになっている。
【０００４】
例えば、店舗の売り物である商品Ａ及び商品Ｂに識別タグを貼着しておくことを前提として、商品管理装置が、商品Ａ及び商品Ｂに貼着された識別タグにそれぞれ異なったデータを送信する。すると、商品Ａ及び商品Ｂに貼着された識別タグが、商品管理装置から送信されたデータをそれぞれ受信して、商品管理装置に応答信号を発信する。この応答信号には、商品名、価格及びその商品が陳列される棚の番号等の商品情報が含まれている。
【０００５】
識別タグが貼着された多数の商品を整理する場合には、管理者は、整理する商品の商品情報を収集するために、商品管理装置の表示部に表示された商品群から当該商品を選択する。すると、該選択した商品に対して所定のコマンドが商品管理装置から識別タグへ送信される。商品に貼着された識別タグは、商品管理装置から送信されたコマンドを受信し、該受信したコマンドが自身の識別タグに該当するものであるか判断する。そして、識別タグは、コマンドが自身の識別タグに該当すると判断した場合に、応答信号を商品管理装置に発信する。商品管理装置は、識別タグから発信された応答信号を処理することにより、多数の商品の仕入れ個数、販売個数及び売上げ等を瞬時に計算できる。
【先行技術文献】
【特許文献】
【０００６】
【特許文献１】特開２０００−１１８６３３号公報
【特許文献２】特開２００８−４６９０４号公報
【発明の概要】
【発明が解決しようとする課題】
【０００７】
ところで、上述の商品管理システムでは、社内の特定の部屋に位置している備品、例えばノートＰＣを他の部屋に移動した場合、その移動を検知する機能は備えていない。また、このシステムは、社員がノートＰＣを自宅に持ち帰ったとしても、それを警告することができない。
【０００８】
例えば、ノートＰＣの不正な持ち出しを防止するために、当該ノートＰＣを物理的に固定し、この固定を不正に解除すると警告音が鳴る器具は存在するが、ノートＰＣを社内で移動する際に、この固定を解除又は再固定する等の煩雑な作業が必要なために、この固定器具の使用は、不便であり、ノートＰＣの本来の使用目的にそぐわない。
【０００９】
また、上述の商品管理システムを用いて倉庫にある商品を管理する場合、予め決定した倉庫の棚の位置番号に商品があれば、円滑に管理できる。しかしながら、管理者が他の棚に間違えて商品を置いてしまったら、その商品を後々追跡する方法はなく、１つの商品を探すのに倉庫全体を点検する必要が生じる。
【００１０】
更に、上述の商品管理システムに使用される識別タグは、商品管理装置であるハンディターミナルを近接しないと当該識別タグに記憶された情報を走査することができない。識別タグとハンディターミナルとの無線通信に使用される電磁波の強度を強くすれば、識別タグとハンディターミナルと距離が大きく離れていても当該走査をすることができるが、人体に影響を及ぼす可能性があり好ましくない。つまり、商品管理には、遠方走査が可能で、人体に影響のない強度の電磁波を用いることが望ましい。
【００１１】
また、近年、店舗での万引きや盗難が多発している。万引きや盗難を防止するために店舗内に電磁波を利用した物体検知装置（例えば、特許文献２）を設置すると、コストがかかってしまう。また、店舗が広いと、当該店舗の出入り口に物体検知装置を設置することは、建物の構造上若しくはコスト的に難しく、抜け道ができてしまう。更に、店舗内に警備員等を配置しても万引きや盗難を完全に防止することはできない。
【００１２】
特許文献１に記載の商品管理システムでは、商品の仕入れ個数、販売個数及び売上げ等を計算できるが、上述の問題を解決できない。
【００１３】
そこで、本発明は、このような課題を解決したものであって、物品を低コストで容易に管理でき、低コストで商品の万引きや盗難を防止できる電子札システムを提供することを目的とする。
【課題を解決するための手段】
【００１４】
上述の課題を解決するために、本発明に係る電子札システムは、互いに異なる伝播領域を有する複数の基地局と、移動可能な物品に直接貼着して使用され、ＧＨｚ帯の電波を送受信可能なアンテナを内蔵し、識別子を記憶し、前記複数の基地局のいずれかと無線通信を行う電子札と、前記電子札の識別子を含む識別情報を生成し、前記複数の基地局の全てから前記電子札に前記識別情報を送信させる電子札制御装置と、により構成され、前記電子札は、通信相手の基地局から受信した識別情報の識別子を確認した後、前記通信相手の基地局に確認信号を送信し、前記電子札制御装置は、前記確認信号の受信により前記電子札を管轄する基地局を特定し、前記電子札制御装置は、前記識別情報に、前記電子札に表示させる表示用情報を含め、前記電子札は、前記受信した識別情報に含まれる前記表示用情報を表示する、構成を採る。
【００１５】
本発明に係る電子札システムは、前記電子札制御装置が、前記複数の基地局が前記識別情報を送信してから所定の時間が経過しても前記複数の基地局のいずれにおいても前記確認信号を受信できない場合に警告処理を行う、構成を採る。
【発明の効果】
【００２１】
本発明に係る電子札システムによれば、電子札を取り付けた物品が所定の伝播領域内から伝播領域外に移動したことを特定して報知できるので、その物品を低コストで容易に管理でき、万引きや盗難を防止できる。
【図面の簡単な説明】
【００２３】
【図１】第１の実施の形態に係る電子札システム１００の構成例を示す概略図である。
【図２】（Ａ），（Ｂ），（Ｃ）は、電子札１の貼着例を示す斜視図である。
【図３】電子札システム１００の使用例を示す説明図である。
【図４】電子札１の外観例を示す斜視図である。
【図５】電子札１の制御系の構成例を示すブロック図である。
【図６】電子札システム１００の動作例を示すフローチャートである。
【図７】（Ａ），（Ｂ）は、表示装置５ａの表示例を示す説明図である。
【図８】第２の実施の形態に係る電子札システム１００Ａの構成例を示す概略図である。
【図９】電子札６の外観例を示す斜視図である。
【図１０】電子札６の制御系の構成例を示すブロック図である。
【図１１】電子札システム１００Ａの動作例を示すフローチャートである。
【図１２】電子札システム１００Ａの使用例（その１）を示す説明図である。
【図１３】電子札システム１００Ａの使用例（その２）を示す説明図である。
【図１４】第３の実施の形態に係る電子札システム１００Ｂの構成例を示す概略図である。
【図１５】電子札７の外観例を示す斜視図である。
【図１６】電子札７の制御系の構成例を示すブロック図である。
【図１７】電子札システム１００Ｂの使用例（その１）を示す説明図である。
【図１８】電子札７の表示例（その１）を示す説明図である。
【図１９】電子札７の表示例（その２）を示す説明図である。
【図２０】電子札７の表示例（その３）を示す説明図である。
【図２１】電子札７の表示例（その４）を示す説明図である。
【図２２】電子札７の表示例（その５）を示す説明図である。
【図２３】電子札７の表示例（その６）を示す説明図である。
【図２４】電子札システム１００Ｂの使用例（その２）を示す説明図である。
【発明を実施するための形態】
【００２４】
以下、図面を参照しながら本発明に係る電子札システム及び電子札、電子札制御装置について説明する。
＜第１の実施の形態＞
［電子札システム１００の構成例］
まず、第１の実施の形態に係る電子札システム１００の構成例について説明する。図１に示すように、電子札システム１００は、電子札１及び電子札制御装置２で構成される。
【００２５】
電子札１の裏面には強力な接着剤が塗布されており、電子札１は備品３に直接貼着して使用される。図１では、備品３ａ，３ｂ，３ｃ，３ｄ，３ｅ，３ｆ，３ｇに電子札１ａ，１ｂ，１ｃ，１ｄ，１ｅ，１ｆ，１ｇがそれぞれ貼着されている。電子札１ａ〜１ｇは、それぞれ固有の識別子を有する。
【００２６】
例えば、図２（Ａ）に示すように、備品３ａの一例であるノートパソコンの所定箇所に電子札１ａが貼着される。また、図２（Ｂ）に示すように、備品３ｂの一例である携帯情報端末装置の所定箇所に電子札１ｂが貼着される。更に、図２（Ｃ）に示すように、備品３ｃの一例である箱の所定箇所に電子札１ｃが貼着される。
【００２７】
図１に戻って、電子札制御装置２は、識別情報生成部２０１及び基地局２１１，２１２，・・・，Ｎを備える。識別情報生成部２０１にはＰＣコントローラ４及び基地局２１１，２１２，・・・，Ｎが接続される。ＰＣコントローラ４にはパーソナルコンピュータ（以下、ＰＣ５という）が接続される。
【００２８】
ＰＣコントローラ４は、複数のＰＣ５に接続されて、ＰＣ５から出力されるコマンド等を識別情報生成部２０１に入力するものである。ＰＣコントローラ４は、集線装置（ＨＵＢ）の機能も有している。
【００２９】
識別情報生成部２０１は、ＰＣ５から出力されたコマンドをＰＣコントローラ４を介して受信し、該受信したコマンドに基づいて所定の情報を生成する。所定の情報には電子札１に表示させる画像情報や電子札１の識別情報が含まれる。識別情報生成部２０１は、生成した情報を基地局２１１，２１２，・・・，Ｎに出力する。
【００３０】
因みに、識別情報には、電子札１ａ〜１ｇがグループ化されたとき（例えば、図１では、電子札１ａ，１ｂ，１ｃが破線で示すグループＡに設定され、電子札１ｄ，１ｅが破線で示すグループＢに設定され、電子札１ｆ，１ｇが破線で示すグループＮに設定されている。）の該グループの識別子であるグループＩＤ、電子札１ａ〜１ｇの固有の識別子であるアドレスＩＤ、備品の名称、管理番号、管理者及び保管場所等が含まれている。この識別情報は、ＰＣ５によって閲覧、更新、変更等がされる。
【００３１】
基地局２１１，２１２，・・・，Ｎは、識別情報生成部２０１から出力された情報を変調して電波として所定の伝播領域内に送信する。例えば、図１では、基地局２１１は、識別情報生成部２０１から出力されたグループＡのグループＩＤを含む識別情報を変調して電波としてグループＡの伝播領域内に送信する。基地局２１２は、識別情報生成部２０１から出力されたグループＢのグループＩＤを含む識別情報を変調して電波としてグループＢの伝播領域内に送信する。基地局Ｎは、識別情報生成部２０１から出力されたグループＮのグループＩＤを含む識別情報を変調して電波としてグループＮの伝播領域内に送信する。
【００３２】
電子札１ａ〜１ｇにはグループＡ，Ｂ，・・・，Ｎに対応したグループＩＤが予め記憶されている。例えば、電子札１ａ，１ｂ，１ｃにはグループＡに対応したグループＩＤが記憶され、電子札１ｄ，１ｅにはグループＢに対応したグループＩＤが記憶され、電子札１ｆ，１ｇにはグループＮに対応したグループＩＤが記憶されている。グループＩＤは、グループＡ，Ｂ，・・・，Ｎ毎の異なった識別子である。
【００３３】
電子札１ａ〜１ｇは、基地局２１１，２１２，・・・，Ｎによって送信されたグループＡ，Ｂ，・・・，ＮのグループＩＤを含む識別情報を受信し、該受信した識別情報に含まれるグループＡ，Ｂ，・・・，ＮのグループＩＤと自身に記憶されたグループＩＤとが一致するか否かを判断する。そして、電子札１は、識別情報に含まれるグループＩＤと自身のグループＩＤとが一致しないと判断した場合に、所定の伝播領域内から伝播領域外に当該電子札１が移動したことを報知する。
【００３４】
例えば、グループＡに対応したグループＩＤが記憶された電子札１ａに着目する。図３に示すように、グループＡ（例えば、会社内の事務所）に対応するグループＩＤを有する電子札１ａが備品３ａ（例えば、ノートＰＣ）に貼着されることを前提として、備品３ａがグループＡ内にあるときには、電子札１ａは、基地局２１１から送信されるグループＡに対応するグループＩＤが含まれる識別情報を受信できる。電子札１ａが受信した識別情報のグループＩＤと電子札１ａが有するグループＩＤとは一致する。
【００３５】
備品３ａがグループＡ内からグループＡ外のグループ（例えば、会社内の会議室）内に持ち出されると、電子札１ａは、基地局２１１から送信される識別情報が受信できず、基地局２１２から送信されるグループＢに対応するグループＩＤが含まれる識別情報を受信する。電子札１ａが受信した識別情報のグループＩＤと電子札１ａが有するグループＩＤとは一致しないので、電子札１は、ユーザに備品３ａが当該備品３ａの使用可能領域内（伝播領域範囲内）から移動されたことを報知する。
【００３６】
この報知は、例えば、図４で後述するブザー１４による放音やＬＥＤ１５による発光によるものである。因みに、図１及び図３に示すグループＡ及びグループＢの重なった領域に備品３ａが移動しても、電子札１ａは、基地局２１１から送信される識別情報が受信可能であるので、ブザー１４による放音やＬＥＤ１５による発光はされない。
【００３７】
これにより、基地局２１１，２１２，・・・，Ｎが送信する識別情報の伝播領域内から伝播領域外に電子札１が移動したときに、ブザー１４が放音し、ＬＥＤ１５が発光するので、当該電子札１を備品３に取り付けたときに、その備品３が伝播領域内から伝播領域外に移動したことを報知できるようになる。この結果、備品３を容易に管理できる。
【００３８】
［電子札１の構成例］ 
次に、電子札１の構成例について説明する。図４に示すように、電子札１は、本体部１１、受信部及び送信部の一例である内蔵アンテナ１２、表示部の一例である液晶ディスプレイ（以下、ＬＣＤ１３という）、放音部の一例であるブザー１４、発光部の一例である発光ダイオード（以下、ＬＥＤ１５という）で構成される。また、電子札１は、図示しない電池等で構成される電源部を備え、当該電源部から上述の各部に電力が供給されて各部が動作する。
【００３９】
本体部１１は、縦が約２ｃｍ、横が約１０ｃｍ、厚みが１〜２ｃｍの小さな筐体である。本体部１１は、例えば、ポリエチレン、ポリプロピレン及びポリ塩化ビニル等の合成樹脂で構成され、ブロー成形や射出成形等で形成される。
【００４０】
本体部１１には内蔵アンテナ１２、ＬＣＤ１３、ブザー１４及びＬＥＤ１５が設けられる。また、本体部１１の表面にはバーコード１６が印字される。バーコード１６は、備品３の管理番号等をコード化したものである。
【００４１】
内蔵アンテナ１２は、電子札制御装置２から送信された画像情報や識別情報を受信し、また、図５で後述する確認信号生成部２５で生成された確認信号を電子札制御装置２に送信する。内蔵アンテナ１２は、本体部１１に内蔵され、例えば、ＧＨｚ帯の高周波の電波が送受信可能で、フェライト等で構成される。
【００４２】
ＬＣＤ１３は、文字やコード記号等を表示する。例えば、ＬＣＤ１３は、内蔵アンテナ１２で受信された画像情報や識別情報に基づいて、電子札１に貼着された備品３の名称や管理番号、管理者及び保管場所等を表示する。
【００４３】
なお、ＬＣＤ１３の代わりに、有機ＥＬ、無機ＥＬ及び電子ペーパー等のフラットパネルディスプレイを使用しても構わない。
【００４４】
ブザー１４は、電子札１が識別情報を受信できない場合や、基地局２１１，２１２，・・・，Ｎから伝播領域内に送信される識別情報に含まれるグループＩＤと当該電子札１のグループＩＤとが一致しない場合に放音するものである。つまり、ブザー１４は、電子札１を取り付けた備品３が基地局２１１，２１２，・・・，Ｎの伝播領域内から伝播領域外に移動したことを報知するものである。
【００４５】
ブザー１４は、時間的に連続に放音するものであっても良いし、断続的に放音するものであっても良い。また、ブザー１４は、例えば数秒毎に段階的に音量が増加するようなものであっても良い。これにより、ブザー１４の放音に気付きにくいユーザであっても、ブザー１４の音量が段々と増加するので、放音に気付かせることができる。
【００４６】
また、ブザー１４は、多様な音色を放音するものであっても良い。これにより、電子札１が受信する情報の違いによってブザー１４が放音する音色を変えることができる。この結果、電子札１に受信された情報をユーザが聴覚的に判別できるようになる。
【００４７】
ブザー１４には、例えば、圧電ブザーやメカニカルブザー等が使用される。圧電ブザーは、セラミックスで構成された圧電振動板を金属板に貼り付けて作製される。圧電ブザーは、交流電圧が印加されると、圧電振動板が伸縮する。この伸縮を繰り返すことで圧電ブザーの連続音が発生する。
【００４８】
メカニカルブザーは、電磁コイル及び鉄板状のスイッチを備える。鉄板状のスイッチは、第１の位置及び第２の位置に切り換えられ、第１の位置で電磁コイルに電流を流し、第２の位置で電磁コイルに電流を流さないスイッチである。電磁コイルに電流を流すと、電磁コイルの磁力によりスイッチが第１の位置から第２の位置に切り替わる。スイッチが第２の位置に切り替わると電磁コイルに電流が流れなくなり、電磁コイルからの磁力がなくなるので、スイッチが再び第１の位置に戻る。このように、鉄板状のスイッチが第１及び第２の位置の切り替わりを繰り返すことで、メカニカルブザーの連続音が発生する。鉄板状のスイッチの大きさや形状を変えることで、ブザーの音量や音域を変更することができる。
【００４９】
ＬＥＤ１５は、電子札１が識別情報を受信できない場合や、基地局２１１，２１２，・・・，Ｎの伝播領域内に送信される識別情報に含まれるグループＩＤと当該電子札１のグループＩＤとが一致しない場合に発光するものである。つまり、ＬＥＤ１５は、電子札１を取り付けた備品３が基地局２１１，２１２，・・・，Ｎの伝播領域内から伝播領域外に移動したことを報知するものである。
【００５０】
ＬＥＤ１５は、時間的に連続に発光（点灯）するものであっても良いし、断続的に発光（点滅）するものであっても良い。
【００５１】
また、ＬＥＤ１５は、ブザー１４の放音と共に発光するものであっても良い。これにより、ブザー１４による放音のみ、又は、ＬＥＤ１５による発光のみに比べて、備品３が基地局２１１，２１２，・・・，Ｎの伝播領域内から伝播領域外に移動したことをユーザに確実に報知できる。
【００５２】
また、ＬＥＤ１５は、点滅間隔を変えても良いし、ＲＧＢの三原色に発光する３つのチップ（例えば、赤色発光はAlGaAs又はGaAsP等で構成されたチップ、緑色発光はInGaN/GaN/AlGaN又はGaP等で構成されたチップ、青色発光はSiC、ZnSe又はGaN等で構成されたチップ）を備えて多様な色に発光しても良い。これにより、電子札１が受信する情報の違いによってＬＥＤ１５の点滅間隔や発光色を変えることができる。この結果、電子札１に受信された情報をユーザが視覚的に判別できる。
【００５３】
［電子札１の制御系の構成例］ 
次に、電子札１の制御系の構成例について説明する。図５に示すように、電子札１は、内蔵アンテナ１２、ＬＣＤ１３、ブザー１４、ＬＥＤ１５、判断部の一例であるＣＰＵ１７、送受信部１８、データ取得部１９、画像生成部２０、画像記憶部２１、ＬＣＤドライバ２２、記憶部の一例であるＲＡＭ２３、記憶部の一例であるＲＯＭ２４及び確認信号生成部２５で構成される。
【００５４】
内蔵アンテナ１２、ＬＣＤ１３、ブザー１４、ＬＥＤ１５、ＣＰＵ１７、送受信部１８、データ取得部１９、画像生成部２０、画像記憶部２１、ＬＣＤドライバ２２、ＲＡＭ２３、ＲＯＭ２４及び確認信号生成部２５は、それぞれ図示しない電子回路基板に実装される。
【００５５】
内蔵アンテナ１２には送受信部１８が接続される。送受信部１８は、電子札制御装置２から送信された識別情報Ｄ１（備品の名称、管理番号、管理者及び保管場所等に関する情報Ｄ２及びグループＩＤに関する情報Ｄ３を含む）を内蔵アンテナ１２を介して受信する。
【００５６】
送受信部１８は、受信した識別情報Ｄ１のうち、備品の名称、管理番号、管理者及び保管場所等に関する情報Ｄ２をデータ取得部１９に出力し、グループＩＤに関する情報Ｄ３をＣＰＵ１７に出力する。また、送受信部１８は、後述する確認信号生成部２５で生成された確認信号Ｄ８を内蔵アンテナ１２を介して電子札制御装置２に送信する。
【００５７】
送受信部１８にはデータ取得部１９が接続される。データ取得部１９は、送受信部１８で出力された備品の名称、管理番号、管理者及び保管場所等に関する情報Ｄ２を取得して、ＣＰＵ１７及び画像生成部２０に出力する。
【００５８】
データ取得部１９には画像生成部２０が接続される。画像生成部２０は、データ取得部１９で出力された備品の名称、管理番号、管理者及び保管場所等に関する情報Ｄ２を取得する。画像生成部２０は、取得した備品の名称、管理番号、管理者及び保管場所等に関する情報Ｄ２に基づいて、１ページ分（ＬＣＤ１３が表示可能なｎ行ｍ列の表示画素）の画像データＤ４を生成し、該生成した画像データＤ４を画像記憶部２１に出力する。
【００５９】
画像生成部２０には画像記憶部２１が接続される。画像記憶部２１は、画像生成部２０から出力された画像データＤ４を記憶する。
【００６０】
また、画像生成部２０にはＬＣＤドライバ２２が接続される。画像生成部２０は、画像記憶部２１に記憶した画像データＤ４を読み出して、該読み出した画像データＤ４をＬＣＤドライバ２２に出力する。ＬＣＤドライバ２２は、画像生成部２０によって出力された画像データＤ４を取得し、該取得した画像データＤ４に基づいてＬＣＤ１３を制御する。
【００６１】
ＬＣＤドライバ２２にはＬＣＤ１３が接続される。ＬＣＤ１３は、ＬＣＤドライバ２２が取得した画像データＤ４に基づく画像を表示する。ＬＣＤ１３は、例えば、画像データＤ４に格納される備品の名称、管理番号、管理者及び保管場所等を表示する。
【００６２】
送受信部１８、データ取得部１９、画像記憶部２１及びＬＣＤドライバ２２にはＣＰＵ１７が接続される。ＣＰＵ１７は、上述の各部を制御する。ＣＰＵ１７にはＲＡＭ２３及びＲＯＭ２４が接続される。ＲＯＭ２４には電子札１を制御する制御プログラム等や、電子札１が属するグループのグループＩＤに関する情報Ｄ５が記憶される。例えば、電子札１ａのＲＯＭ２４では、グループＡに対応するグループＩＤが記憶され、電子札１ｄのＲＯＭ２４では、グループＢに対応するグループＩＤが記憶される。
【００６３】
ＣＰＵ１７は、送受信部１８によって出力されたグループＩＤに関する情報Ｄ３を取得する。ＣＰＵ１７は、取得したグループＩＤに関する情報Ｄ３をＲＡＭ２３に記憶する。そして、ＣＰＵ１７は、送受信部１８で受信されてＲＡＭ２３に記憶されたグループＩＤに関する情報Ｄ３と、電子札１自身のグループＩＤであって、予めＲＯＭ２４に記憶されたグループＩＤに関する情報Ｄ５とが一致するか否かを判断する。
【００６４】
ＣＰＵ１７にはブザー１４及びＬＥＤ１５が接続される。ＣＰＵ１７は、電子札制御装置２から送信されるグループＩＤを含む識別情報Ｄ１を受信できない場合に、ブザー１４を放音させるための、及び、ＬＥＤ１５を発光させるための警告信号Ｄ６を生成する。また、ＣＰＵ１７は、送受信部１８で受信されてＲＡＭ２３に記憶されたグループＩＤに関する情報Ｄ３と、電子札１自身のグループＩＤに関する情報Ｄ５とが一致しないと判断した場合にも、警告信号Ｄ６を生成する。ＣＰＵ１７は、生成した警告信号Ｄ６をブザー１４及びＬＥＤ１５に出力する。すると、ブザー１４は放音し、ＬＥＤ１５は発光する。
【００６５】
また、ＣＰＵ１７には確認信号生成部２５が接続される。ＣＰＵ１７は、送受信部１８で受信されてＲＡＭ２３に記憶されたグループＩＤに関する情報Ｄ３と、電子札１自身のグループＩＤに関する情報Ｄ５とが一致すると判断した場合に、該判断結果を示す確認信号Ｄ８を作成するように確認信号生成部２５に指令信号Ｄ７を出す。確認信号生成部２５は、ＣＰＵ１７からの指令信号Ｄ７を受信すると、確認信号Ｄ８を生成し、該生成した確認信号Ｄ８を送受信部１８に出力する。
【００６６】
［電子札システム１００の動作例］ 
次に、電子札システム１００の動作例についてフローチャートを用いて説明する。図６に示すように、ステップＳＴ１では、電子札制御装置２が備える識別情報生成部２０１は、グループＡ，Ｂ，・・・，Ｎに対応したグループＩＤを含む識別情報をそれぞれ生成する。
【００６７】
識別情報生成部２０１は、生成した識別情報を電子札制御装置２が備える基地局２１１，２１２，・・・，Ｎにそれぞれ出力する。例えば、識別情報生成部２０１は、グループＡに対応したグループＩＤを含む識別情報を基地局２１１に出力し、グループＢに対応したグループＩＤを含む識別情報を基地局２１２に出力し、グループＮに対応したグループＩＤを含む識別情報を基地局Ｎに出力する。
【００６８】
ステップＳＴ２に移行して、基地局２１１，２１２，・・・，Ｎは、識別情報生成部２０１から出力された識別情報を取得し、該取得した識別情報を変調して電波として所定の伝播領域内に送信する。例えば、基地局２１１は、グループＡに対応するグループＩＤを含む識別情報をグループＡの伝播領域内に送信する。基地局２１２は、グループＢに対応するグループＩＤを含む識別情報をグループＢの伝播領域内に送信する。基地局Ｎは、グループＮに対応するグループＩＤを含む識別情報をグループＮの伝播領域内に送信する。
【００６９】
ステップＳＴ３に移行して、電子札１は、基地局２１１，２１２，・・・，Ｎから電波として送信された識別情報を受信できた場合にはステップＳＴ４に移行し、受信できない場合にはステップＳＴ５に移行する。
【００７０】
ステップＳＴ４では、電子札１のＣＰＵ１７は、基地局２１１，２１２，・・・，Ｎから受信した識別情報に含まれるグループＩＤとＲＯＭ２４に記憶されているグループＩＤとが一致するか否かを判断する。基地局２１１，２１２，・・・，Ｎから受信したグループＩＤとＲＯＭ２４に記憶されているグループＩＤとが一致した場合にはステップＳＴ６に移行し、一致しない場合にはステップＳＴ５に移行する。
【００７１】
ステップＳＴ５では、電子札１は、基地局２１１，２１２，・・・，Ｎから電波として送信される識別情報が受信できない場合に、又は、基地局２１１，２１２，・・・，Ｎから受信したグループＩＤとＲＯＭ２４に記憶されているグループＩＤとが一致しない場合に、警告信号を生成して、該生成した警告信号をブザー１４及び／又はＬＥＤ１５に出力する。すると、電子札１のブザー１４が放音して、ＬＥＤ１５が発光する。これにより、ユーザに備品３が基地局２１１，２１２，・・・，Ｎの伝播領域内から伝播領域外に移動したことを警告できる。
【００７２】
ステップＳＴ６では、ＣＰＵ１７は、基地局２１１，２１２，・・・，Ｎから受信したグループＩＤとＲＯＭ２４に記憶されているグループＩＤとが一致した場合に、確認信号生成部２５に確認信号を生成するための指令信号を出す。確認信号生成部２５は、ＣＰＵ１７からの指令信号を受けて確認信号を生成する。そして、確認信号生成部２５によって生成された確認信号を送受信部１８が電子札制御装置２に送信する。
【００７３】
ステップＳＴ７に移行して、電子札制御装置２は、電子札１の送受信部１８から送信された確認信号を受信できた場合には、ステップＳＴ２に戻って、基地局２１１，２１２，・・・，Ｎが識別情報を所定の伝播領域内に再び送信し、上述した動作を繰り返す。このとき、ＰＣ５に接続された表示装置５ａには、例えば、図７（Ａ）に示すように、備品の名称、保管される棚番号、管轄する基地局、保管場所及び所有者が表示される。
【００７４】
電子札制御装置２は、電子札１の送受信部１８から送信された確認信号を受信できない場合にはステップＳＴ８に移行する。
【００７５】
ステップＳＴ８では、電子札制御装置２は、識別情報を送信してから所定の時間経過後、電子札１から送信された確認信号を受信していないので、電子札１が基地局２１１，２１２，・・・，Ｎの伝播領域内から伝播領域外に移動したと判断して、警告情報を生成し、該生成した警告情報をＰＣコントローラ４を介してＰＣ５に出力する。
【００７６】
ＰＣ５は、電子札制御装置２から出力された警告情報を受信する。すると、例えば、図７（Ｂ）に示すように、ＰＣ５に接続される表示装置５ａには当該備品が伝播領域内から伝播領域外に移動したことを警告する斜線で示した警告画面が表示される。つまり、図３に示したように、グループＡに対応するグループＩＤを有する備品３ａ（例えば、図７に示すNo.3のＢ社製のノートＰＣ１）が、グループＡからグループＢに持ち出されたときに、電子札１ａから警告音及び警告灯が発せられるが、ＰＣ５の表示装置５ａにも備品３ａがグループＡからグループＢに持ち出されたことを報知するために、警告画面が表示される。
【００７７】
なお、ブザー１４による放音及びＬＥＤ１５による発光をさせずに備品３をグループＡからグループＢに持ち出したい場合には、ＰＣ５等から電子札１のＲＡＭ２３にグループＢに対応するグループＩＤを記憶させれば良い。
【００７８】
ところで、従来では、備品にＲＦＩＤを取り付け、ＲＦＩＤが取り付けられた備品を持って会社の出入り口に設置されたセキュリティゲートを通過すると、警告音がなるシステムが採用されているが、会社の裏口やその他セキュリティゲートが設置されていない出口等から備品が持ち出されると警告できない。これに対して、本実施の形態に係る電子札システム１００は、基地局の伝播範囲外に出ると警告音や警告灯が発せられ、ＰＣ５の表示装置５ａにも警告画面が表示されるので、備品を確実に管理できる。
【００７９】
このように、本実施の形態に係る電子札システム１００によれば、複数の電子札１がグループＩＤを有する。電子札制御装置２が電子札１のグループＩＤを含む識別情報を生成し、該生成した識別情報を所定の伝播領域内（例えば、図１で示したグループＡ，Ｂ，・・・，Ｎ）に送信する。これを前提として、電子札１の各々は、電子札制御装置２で送信された識別情報を受信し、該受信した識別情報に含まれるグループＩＤと自身のグループＩＤとが一致するか否かを判断し、該判断結果が一致しない場合には、識別情報を送信される伝播領域内から伝播領域外に当該電子札１が移動したことを、ブザー１４による放音やＬＥＤ１５による発光によって報知する。
【００８０】
これにより、例えば、当該電子札１を備品３に取り付けたときに、識別情報を送信される伝播領域内から伝播領域外に備品３が移動したことをブザー１４による放音やＬＥＤ１５による発光で報知できるようになる。この結果、備品３を低コストで容易に管理できる。
【００８１】
従来のＲＦＩＤを用いた電子札では、ＰＣに接続されたリーダ／ライタに当該電子札を接触若しくは接触するくらいに近づけなければ、ＰＣからの情報を受信できなかった。また、従来のＲＦＩＤを用いた電子札では、リーダ／ライタの出力を上げてもＰＣからの情報を受信できるが、この場合、リーダ／ライタから強度の強い電磁波が出力される（例えば、出力は、１０ｍＷ程度）ので、人体に影響を及ぼす可能性がある。これに対して、本実施の形態に係る電子札システム１００では、基地局から電子札が所定距離離れていても、また、基地局の出力を上げなくても（例えば、出力は１ｍＷ程度）、ＰＣから情報を受信することができる。
【００８２】
なお、本実施の形態では、バーコード１６は、本体部１１に印字されるもので説明したが、これに限定されず、紙等にバーコードを印字して、該印字した紙を本体部１１に接着剤等で貼り付けても構わない。
【００８３】
また、本実施の形態では、電子札１にＬＥＤ１５を１つだけ設けたが、これに限定されず、それぞれの発光色が異なる複数のＬＥＤ１５を設けても構わない。これにより、更に、ユーザに視覚的に警告できる。
【００８４】
また、本実施の形態では、電子札１のＲＯＭ２４にグループＩＤに関する情報Ｄ５を記憶したが、これに限定されず、ＲＡＭ２３に情報Ｄ５を記憶するようにしてＰＣ５から書き換え可能にしても構わない。これにより、電子札１を他の用途に使用する等、再利用することができる。
【００８５】
また、本実施の形態では、電子札１に画像記憶部２１を設けたが、これに限定されず、画像記憶部２１の機能をＲＡＭ２３又は／及びＲＯＭ２４に持たして、当該画像記憶部２１を削除しても良い。これにより、電子札１を低コスト化できる。
【００８６】
また、本実施の形態では、電子札システム１００を会社内の備品管理に適用したが、当該電子札システム１００は店舗内の商品のセキュリティ管理にも適用可能である。例えば、電子札１が貼着された店舗内の商品が識別情報の伝播領域内（店舗内）から伝播領域外（店舗外）に移動したことをブザー１４及びＬＥＤ１５で報知する。これにより、万引きや盗難を低コストで防止できる。
【００８７】
また、本実施の形態では、電子札制御装置２が電子札１からの確認信号Ｄ８を受信しないときに、表示装置５ａに警告画面を表示させる（図７（Ｂ））説明をしたが、これに限定されず、電子札１が伝播領域内から伝播領域外に移動したときに、ブザー１４及びＬＥＤ１５で報知すると共に、当該電子札１が自身のアドレスＩＤを電子札制御装置２に送信して、表示装置５ａに当該電子札が伝播領域内から伝播領域外に移動したことを示す警告画面を表示させても良い。
【００８８】
＜第２の実施の形態＞ 
本実施の形態では、第１の実施の形態で説明した電子札１のＬＣＤ１３を設けない電子札６で構成された電子札システム１００Ａについて説明する。前述の第１の実施の形態と同じ名称及び符号のものは同じ機能を有するので、その説明を省略する。
【００８９】
［電子札システム１００Ａの構成例］ 
最初に、第２の実施の形態に係る電子札システム１００Ａの構成例について説明する。図８に示すように、電子札システム１００Ａは、電子札６及び電子札制御装置２で構成される。更に、電子札システム１００Ａは、ハンディターミナル４０を備える。
【００９０】
電子札６の裏面には、電子札１と同様に、強力な接着剤が塗布されており、電子札６は、図１２及び図１３で後述する商品８及びファイル９に直接貼着して使用される。図８では、商品８ａ，８ｂ，８ｃ，８ｄ，８ｅ，８ｆ，８ｇに電子札６ａ，６ｂ，６ｃ，６ｄ，６ｅ，６ｆ，６ｇがそれぞれ貼着されている。
【００９１】
ハンディターミナル４０は、電子札６に貼着された商品８及びファイル９を管理するための携帯端末である。ハンディターミナルは、基地局２１１，２１２，・・・，Ｎと通信可能で、識別情報の閲覧、更新、変更が可能であり、ＰＣ５と同じ機能を有する。つまり、ハンディターミナル４０は、ユーザが携帯して、商品８及びファイル９の管理ができる。
【００９２】
ＰＣコントローラ４、ＰＣ５、識別情報生成部２０１及び基地局２１１，２１２，・・・，Ｎに関しての詳細な説明は、前述の図１で説明したものと同じであるので、省略する。
【００９３】
［電子札６の構成例］ 
次に、電子札６の構成例について説明する。図９に示すように、電子札６は、本体部１１Ａ、内蔵アンテナ１２、ブザー１４及びＬＥＤ１５で構成される。また、電子札６は、図示しない電池等で構成される電源部を備え、当該電源部から上述の各部に電力が供給されて各部が動作する。
【００９４】
本体部１１Ａは、前述の第１の実施の形態で説明した電子札１のようにＬＣＤ１３を設けないので、縦が約１ｃｍ、横が約１０ｃｍ、厚みが０．５ｃｍの、本体部１１と比べて更に小さな筐体となる。本体部１１Ａは、例えば、ポリエチレン、ポリプロピレン及びポリ塩化ビニル等の合成樹脂で構成され、ブロー成形や射出成形等で形成される。
【００９５】
本体部１１Ａには内蔵アンテナ１２、ブザー１４及びＬＥＤ１５が設けられる。また、本体部１１Ａの表面にはバーコード１６が印字される。
【００９６】
内蔵アンテナ１２、ブザー１４、ＬＥＤ１５は、前述の図４で説明したものと同じであるので、その説明を省略する。
【００９７】
［電子札６の制御系の構成例］ 
次に、電子札６の制御系の構成例について説明する。図１０に示すように、電子札６は、内蔵アンテナ１２、ブザー１４、ＬＥＤ１５、ＣＰＵ１７Ａ、ＲＡＭ２３、ＲＯＭ２４、受信部２６及びオフ信号生成部２７で構成される。
【００９８】
内蔵アンテナ１２、ブザー１４、ＬＥＤ１５、ＣＰＵ１７Ａ、ＲＡＭ２３、ＲＯＭ２４、受信部２６及びオフ信号生成部２７は、それぞれ図示しない電子回路基板に実装される。
【００９９】
電子札６は、ＬＣＤ１３を設けないので、図５で説明した、データ取得部１９、画像生成部２０、画像記憶部２１、ＬＣＤドライバ２２が不要である。
【０１００】
内蔵アンテナ１２には受信部２６が接続される。受信部２６は、電子札制御装置２から送信された、電子札６の固有の識別子であるアドレスＩＤを含む識別情報Ｄ１１を内蔵アンテナ１２を介して受信する。また、受信部２６は、ブザー１４の放音やＬＥＤ１５の発光を禁止するための禁止要求信号Ｄ１２を内蔵アンテナ１２を介して受信する。そして、受信部２６は、受信した識別情報Ｄ１１をＣＰＵ１７Ａに出力し、受信した禁止要求信号Ｄ１２をオフ信号生成部２７に出力する。禁止要求信号Ｄ１２は、ＰＣ５やハンディターミナル４０によって生成され、電子札６に送信されるものである。
【０１０１】
受信部２６にはオフ信号生成部２７が接続される。オフ信号生成部２７は、受信部２６から出力された禁止要求信号Ｄ１２を取得し、該取得した禁止要求信号Ｄ１２に基づいてオフ信号Ｄ１３を生成する。オフ信号生成部２７は、生成したオフ信号Ｄ１３をＣＰＵ１７Ａに出力する。
【０１０２】
オフ信号Ｄ１３とは、ブザー１４の放音やＬＥＤ１５の発光による警告をしないようにするための信号である。図１で示した基地局２１１，２１２，・・・，Ｎが送信する電波の伝播領域内からファイル９や商品８を移動させたい場合に、例えば、ＰＣ５やハンディターミナル４０から禁止要求信号Ｄ１２を電子札６に送信する。すると、当該電子札６のオフ信号生成部２７が禁止要求信号Ｄ１２に基づいてオフ信号Ｄ１３を生成してＣＰＵ１７Ａに出力する。ＣＰＵ１７Ａは、オフ信号Ｄ１３を受信すると電子札６からブザー１４の放音やＬＥＤ１５の発光をさせないように制御する。
【０１０３】
受信部２６及びオフ信号生成部２７にはＣＰＵ１７Ａが接続される。ＣＰＵ１７Ａは、受信部２６及びオフ信号生成部２７を制御する。ＣＰＵ１７ＡにはＲＡＭ２３及びＲＯＭ２４が接続される。ＲＯＭ２４には電子札６を制御する制御プログラム等や、電子札６のアドレスＩＤに関する情報Ｄ１４が記憶される。
【０１０４】
ＣＰＵ１７Ａは、受信部２６から出力されたアドレスＩＤに関する識別情報Ｄ１１を取得する。ＣＰＵ１７Ａは、取得したアドレスＩＤに関する識別情報Ｄ１１をＲＡＭ２３に記憶する。そして、ＣＰＵ１７Ａは、受信部２６で受信されてＲＡＭ２３に記憶されたアドレスＩＤに関する識別情報Ｄ１１と、電子札６自身のアドレスＩＤであって、予めＲＯＭ２４に記憶されたアドレスＩＤに関する情報Ｄ１４とが一致するか否かを判断する。
【０１０５】
ＣＰＵ１７Ａにはブザー１４及びＬＥＤ１５が接続される。ＣＰＵ１７Ａは、受信部２６で受信されてＲＡＭ２３に記憶されたアドレスＩＤに関する識別情報Ｄ１１と、電子札６自身のアドレスＩＤに関する情報Ｄ１４とが一致すると判断した場合に、ブザー１４を放音させるための、及び、ＬＥＤ１５を発光させるための警告信号Ｄ１５を生成する。ＣＰＵ１７Ａは、生成した警告信号Ｄ１５をブザー１４及びＬＥＤ１５に出力する。すると、ブザー１４は放音し、ＬＥＤ１５は発光する。
【０１０６】
また、ＣＰＵ１７Ａは、オフ信号生成部２７から出力されたオフ信号Ｄ１３を取得する。ＣＰＵ１７Ａは、オフ信号Ｄ１３を取得すると、上述の警告信号Ｄ１５を生成しない。そのため、オフ信号Ｄ１３が生成されると、ブザー１４が放音せず、ＬＥＤ１５が発光しない。
【０１０７】
［電子札システム１００Ａの動作例］ 
次に、電子札システム１００Ａの動作例についてフローチャートを用いて説明する。図８で示した電子札６ａ〜６ｇではアドレスＩＤが予め記憶されていることを前提とする。
【０１０８】
図１１に示すように、ステップＳＴ１１では、電子札制御装置２が備える識別情報生成部２０１は、電子札６ａ〜６ｇに記憶されているアドレスＩＤを含む識別情報をそれぞれ生成する。
【０１０９】
識別情報生成部２０１は、生成した識別情報を電子札制御装置２が備える基地局２１１，２１２，・・・，Ｎにそれぞれ出力する。例えば、識別情報生成部２０１は、電子札６ａ，６ｂ，６ｃに対応するアドレスＩＤを含む識別情報を基地局２１１にそれぞれ出力し、電子札６ｄ，６ｅに対応するアドレスＩＤを含む識別情報を基地局２１２にそれぞれ出力し、電子札６ｆ，６ｇに対応するアドレスＩＤを含む識別情報を基地局Ｎにそれぞれ出力する。
【０１１０】
ステップＳＴ１２に移行して、基地局２１１，２１２，・・・，Ｎは、識別情報生成部２０１から出力された識別情報を取得し、該取得した識別情報を変調して電波として所定の伝播領域内に送信する。例えば、基地局２１１は、電子札６ａ，６ｂ，６ｃに対応するアドレスＩＤを含む識別情報をグループＡの伝播領域内に送信する。基地局２１２は、電子札６ｄ，６ｅに対応するアドレスＩＤを含む識別情報をグループＢの伝播領域内に送信する。基地局Ｎは、電子札６ｆ，６ｇに対応するグループＩＤを含む識別情報をグループＮの伝播領域内に送信する。
【０１１１】
ステップＳＴ１３に移行して、電子札６は、基地局２１１，２１２，・・・，Ｎから電波として送信された識別情報を受信できた場合にはステップＳＴ１４に移行し、受信できない場合にはその動作を終了する。
【０１１２】
ステップＳＴ１４では、電子札６のＣＰＵ１７Ａは、基地局２１１，２１２，・・・，Ｎから受信した識別情報に含まれるアドレスＩＤとＲＯＭ２４に記憶されているアドレスＩＤとが一致するか否かを判断する。基地局２１１，２１２，・・・，Ｎから受信したアドレスＩＤとＲＯＭ２４に記憶されているアドレスＩＤとが一致した場合にはステップＳＴ１５に移行し、一致しない場合にはその動作を終了する。
【０１１３】
ステップＳＴ１５では、ＣＰＵ１７Ａは、オフ信号生成部２７からオフ信号が出力されて、該出力されたオフ信号を取得した場合にはステップＳＴ１６に移行し、オフ信号を取得していない場合にはその動作を終了する。
【０１１４】
ステップＳＴ１６では、電子札６は、基地局２１１，２１２，・・・，Ｎから受信したアドレスＩＤとＲＯＭ２４に記憶されているアドレスＩＤとが一致し、かつ、オフ信号を取得しない場合に、警告信号を生成して、該生成した警告信号をブザー１４及び／又はＬＥＤ１５に出力する。すると、ブザー１４が放音して、ＬＥＤ１５が発光する。これにより、ユーザに商品８の位置を報知できる。この結果、商品８の所在がわからなくなっても、商品８を容易に見つけることができる。
【０１１５】
例えば、図１２に示すように、倉庫内等の商品棚３０に載置された複数の商品の中から所望の商品８を探し出す場合を想定する。ハンディターミナル４０を携帯するユーザが、当該ハンディターミナル４０から所望の商品８に貼着した電子札６が有するアドレスＩＤを含んだ識別情報を伝播領域内に送信する。すると、所望の商品８が伝播領域内に存在する場合、当該商品８に貼着した電子札６が識別情報を受信する。そして、電子札６は、受信した識別情報に含まれるアドレスＩＤが自身のアドレスＩＤと一致し、かつ、オフ信号が生成されていない場合に、ブザー１４を放音させ、ＬＥＤ１５を発光させる。これにより、所望の商品８を容易に探し出すことができる。
【０１１６】
また、例えば、図１３に示すように、会社内等のファイル棚３１に収容された複数のファイルの中から所望のファイル９を探し出す場合を想定する。この場合も、上述の図１２で説明した場合と同様に、ハンディターミナル４０からアドレスＩＤを含む識別情報を伝播領域内に送信することで、所望のファイル９が伝播領域内に存在する場合、当該ファイル９に貼着した電子札６が識別情報を受信する。そして、電子札６は、受信した識別情報に含まれるアドレスＩＤが自身のアドレスＩＤと一致し、かつ、オフ信号が生成されていない場合に、ブザー１４を放音させ、ＬＥＤ１５を発光させる。これにより、所望のファイル９を容易に探し出すことができる。
【０１１７】
このように、本実施の形態に係る電子札システム１００Ａによれば、複数の電子札６がアドレスＩＤを有する。電子札制御装置２が電子札６のアドレスＩＤを含む識別情報を生成し、該生成した識別情報を所定の伝播領域内（例えば、図８で示したグループＡ，Ｂ，・・・，Ｎ）に送信する。これを前提として、電子札６の各々は、電子札制御装置２で送信された識別情報を受信し、該受信した識別情報に含まれるアドレスＩＤと自身のアドレスＩＤとが一致するか否かを判断し、該判断結果が一致する場合には、当該電子札６の位置を、ブザー１４による放音やＬＥＤ１５による発光によって報知する。
【０１１８】
これにより、例えば、当該電子札６を商品８やファイル９に取り付けたときに、当該商品８やファイル９の所在がわからなくなっても、電子札制御装置２からの識別情報により電子札６のブザー１４が放音し、ＬＥＤ１５が発光するので、当該商品８やファイル９を容易に見つけることができる。
【０１１９】
＜第３の実施の形態＞ 
本実施の形態では、スイッチ２８及びボタン２９を有する電子札７で構成された電子札システム１００Ｂについて説明する。前述の第１及び第２の実施の形態と同じ名称及び符号のものは同じ機能を有するので、その説明を省略する。
【０１２０】
［電子札システム１００Ｂの構成例］ 
最初に、第３の実施の形態に係る電子札システム１００Ｂの構成例について説明する。図１４に示すように、電子札システム１００Ｂは、電子札７及び電子札制御装置２で構成される。更に、電子札システム１００Ｂは、ハンディターミナル４０を備える。
【０１２１】
電子札７の裏面には、電子札１，６と同様に、強力な接着剤が塗布されており、電子札７は、図１７で後述する商品８に直接貼着して使用される。図１４では、商品８ａ，８ｂ，８ｃ，８ｄ，８ｅ，８ｆ，８ｇに電子札７ａ，７ｂ，７ｃ，７ｄ，７ｅ，７ｆ，７ｇがそれぞれ貼着されている。
【０１２２】
電子札システム１００Ｂは、ＰＣ５又はハンディターミナル４０からの情報を電子札７が受信することで、電子札７が有するＬＣＤ１３の表示画面を書き換えて、ユーザに商品８に関する情報等を提供する。
【０１２３】
また、電子札システム１００Ｂは、電子札７が有するスイッチ２８及びボタン２９の操作によって生成される情報がＰＣ５又はハンディターミナル４０に出力される。これにより、ＰＣ５又はハンディターミナル４０で電子札７の状態を管理することができる。
【０１２４】
ＰＣコントローラ４、ＰＣ５、ハンディターミナル４０、識別情報生成部２０１及び基地局２１１，２１２，・・・，Ｎに関しての詳細な説明は、前述の図１で説明したものと同じであるので、省略する。
【０１２５】
［電子札７の構成例］ 
次に、電子札７の構成例について説明する。図１５に示すように、電子札７は、本体部１１Ｂ、内蔵アンテナ１２、ＬＣＤ１３、スイッチ２８及びボタン２９で構成される。また、電子札７は、図示しない電池等で構成される電源部を備え、当該電源部から上述の各部に電力が供給されて各部が動作する。
【０１２６】
電子札７は、第１及び第２の実施の形態で説明したバーコード１６を本体部１１Ｂに印字せずに、ＬＣＤ１３に表示する。このため、本体部１１に比べてバーコード１６を削除した分だけ本体部１１Ｂをコンパクト化でき、製造コストを低減できる。
【０１２７】
本体部１１Ｂは、前述の第２の実施の形態で説明した本体部１１Ａと同様に、縦が約１ｃｍ、横が約１０ｃｍ、厚みが０．５ｃｍの、本体部１１と比べて更に小さな筐体となる。本体部１１Ｂは、例えば、ポリエチレン、ポリプロピレン及びポリ塩化ビニル等の合成樹脂で構成され、ブロー成形や射出成形等で形成される。
【０１２８】
本体部１１Ｂには内蔵アンテナ１２、ＬＣＤ１３、スイッチ２８及びボタン２９が設けられる。スイッチ２８は、ツマミ２８ａを操作して電子札７のＯＮ／ＯＦＦを切り換えるものである。例えば、ユーザがツマミ２８ａをＯＮ側からＯＦＦ側に移動させると、電子札７がＯＮ状態からＯＦＦ状態に切り替わり、ツマミ２８ａをＯＦＦ側からＯＮ側に移動させると、電子札７がＯＦＦ状態からＯＮ状態に切り替わる。スイッチ２８がＯＮ／ＯＦＦ操作されると共に、電子札７がＯＮ又はＯＦＦになったことを知らせる情報が内蔵アンテナ１２を介してＰＣ５やハンディターミナル４０に送信される。
【０１２９】
ボタン２９は、当該ボタン２９がユーザによって押下されることで、所定の情報を内蔵アンテナ１２を介してＰＣ５やハンディターミナル４０に送信するトリガーとなるものである。この動作と共に、ＬＣＤ１３の表示が切り替わるようにしても良い。
【０１３０】
［電子札７の制御系の構成例］ 
次に、電子札７の制御系の構成例について説明する。図１６に示すように、電子札７は、内蔵アンテナ１２、ＬＣＤ１３、ＣＰＵ１７Ｂ、送受信部１８、データ取得部１９、画像生成部２０、画像記憶部２１、ＬＣＤドライバ２２、ＲＡＭ２３、ＲＯＭ２４、スイッチ２８及びボタン２９で構成される。
【０１３１】
内蔵アンテナ１２、ＬＣＤ１３、ＣＰＵ１７Ｂ、送受信部１８、データ取得部１９、画像生成部２０、画像記憶部２１、ＬＣＤドライバ２２、ＲＡＭ２３、ＲＯＭ２４、スイッチ２８及びボタン２９は、それぞれ図示しない電子回路基板に実装される。
【０１３２】
内蔵アンテナ１２、ＬＣＤ１３、ＣＰＵ１７Ｂ、送受信部１８、データ取得部１９、画像生成部２０、画像記憶部２１、ＬＣＤドライバ２２、ＲＡＭ２３及びＲＯＭ２４の機能や構成は、前述の第１の実施の形態で説明したものと同じであるので、その説明を省略し、スイッチ２８及びボタン２９について説明する。
【０１３３】
スイッチ２８のツマミ２８ａをＯＮ側からＯＦＦ側に移動させると、電子札７がＯＮ状態からＯＦＦ状態に切り替わる。電子札７がＯＦＦ状態になると、電源部からの電力供給が断たれるが、その前に、スイッチ２８が、当該電子札７がＯＦＦになったことを知らせるためのＯＦＦ信号Ｄ２１をＣＰＵ１７Ｂに出力する。すると、ＣＰＵ１７Ｂは、スイッチ２８から出力されたＯＦＦ信号Ｄ２１を受信して、送受信部１８及び内蔵アンテナ１２を介して基地局２１１，２１２，・・・，Ｎやハンディターミナル４０に送信する。
【０１３４】
基地局２１１，２１２，・・・，Ｎは、ＣＰＵ１７ＢからのＯＦＦ信号Ｄ２１をＰＣ５に出力して、ＰＣ５の表示装置５ａに電子札７がＯＦＦ状態になったことを表示させる。また、ハンディターミナル４０は、ＣＰＵ１７ＢからのＯＦＦ信号Ｄ２１に基づいて当該ハンディターミナル４０が有する表示部に電子札７がＯＦＦ状態になったことを表示させる。これにより、電子札７のＯＮ／ＯＦＦ状態をＰＣ５及びハンディターミナル４０で管理できる。
【０１３５】
ボタン２９は、当該ボタン２９が押下されると、例えば、電子札７が貼着された商品８の異常を知らせる商品異常情報Ｄ２２をＣＰＵ１７Ｂに出力する。すると、ＣＰＵ１７Ｂは、ボタン２９から出力された商品異常情報Ｄ２２を受信して、送受信部１８及び内蔵アンテナ１２を介して基地局２１１，２１２，・・・，Ｎやハンディターミナル４０に送信すると共に、商品の異常を知らせるための画面を電子札７のＬＣＤ１３に表示する。
【０１３６】
基地局２１１，２１２，・・・，Ｎは、ＣＰＵ１７Ｂからの商品異常情報Ｄ２２をＰＣ５に出力して、商品８の異常を知らせるための画面をＰＣ５の表示装置５ａに表示する。また、ハンディターミナル４０は、ＣＰＵ１７Ｂからの商品異常情報Ｄ２２に基づいて、商品８の異常を知らせるための画面を当該ハンディターミナル４０が有する表示部に表示する。これにより、商品８の正常／異常等の状態をＰＣ５及びハンディターミナル４０で管理できる。
【０１３７】
［電子札システム１００Ｂの使用例］ 
次に、電子札システム１００Ｂの使用例について説明する。図１７に示すように、店舗内に陳列されたジャケット等の商品８に電子札７が貼着され、電子札７と基地局２１１及びハンディターミナル４０とが互いに通信可能であることを前提とする。
【０１３８】
図１８に示すように、通常、電子札７のＬＣＤ１３には「￥３２，５００」という商品８の価格を示す画面が表示されている。
【０１３９】
例えば、商品８に傷や汚れ等の異常があり、この異常に販売員が気付いたときには、ストックルーム等に商品８を片付けて、商品８に異常があって販売できないことを伝票ファイルに書き込むという煩雑な作業を行う必要がある。しかしながら、電子札システム１００Ｂでは、商品８の異常を販売員が気付いたときに、電子札７のボタン２９を押せば、上述の煩雑な作業を行う必要がなくなる。
【０１４０】
つまり、ボタン２９が販売員によって押下されると、商品異常情報Ｄ２２がＣＰＵ１７Ｂに出力され、ＣＰＵ１７Ｂは、ＰＣ５やハンディターミナル４０に商品異常情報Ｄ２２を送信すると共に、図１９に示すように、ＬＣＤ１３に「販売中止」という画面を表示する。商品異常情報Ｄ２２をＰＣ５やハンディターミナル４０が受信することで、商品異常情報Ｄ２２に基づく商品異常画面が表示装置５ａに表示され、また、ＰＣ５が有する記憶部に商品異常情報Ｄ２２が随時記憶されることにより、商品８を容易に管理できる。
【０１４１】
なお、ボタン２９を押す代わりに、ハンディターミナル４０を操作して、ＬＣＤ１３に「販売中止」の画面を表示させると共に、電子札７からＰＣ５に商品異常情報Ｄ２２を送信させるようにしても構わない。
【０１４２】
また、例えば、販売員が顧客と価格交渉をするような場合においても、電子札システム１００Ｂが活用できる。つまり、顧客との価格交渉の結果、ある商品８のみを値下げするときに、販売員がハンディターミナル４０を操作して、図２０に示すように、値下げした商品８に貼着されている電子札７のＬＣＤ１３に「￥２７，５００」という値下げした価格を表示すると共に、電子札７からＰＣ５に値下げした価格を示す情報が送信されるようにする。因みに、電子札７には自身の識別子であるアドレスＩＤが記憶されているので、当該電子札７のＬＣＤ１３のみに上述の表示をさせることができる。これにより、顧客との価格交渉によって商品８を値下げしたことをＰＣ５で管理できる。
【０１４３】
また、所定の時刻になると商品の価格を下げる、所謂、タイムサービスをするような場面においても、電子札システム１００Ｂが活用できる。つまり、販売員がＰＣ５やハンディターミナル４０を操作して、図２１に示すように、ＬＣＤ１３に「只今から閉店時間までに限り３０％ＯＦＦ」というタイムサービスの表示をすると共に、電子札７からＰＣ５にタイムサービスにより値下げしたことを示す情報が送信される。これにより、タイムサービスによって商品８を値下げしたことをＰＣ５で管理できる。
【０１４４】
なお、所定の商品だけ、例えば、図１４に示したグループＡにある商品だけを値下げたいときには、グループＡのグループＩＤを有する電子札７のみに対して、ＰＣ５やハンディターミナル４０から情報を送信すれば良い。
【０１４５】
更に、ＰＣ５やハンディターミナル４０で商品８の在庫数を管理することにより、ＬＣＤ１３に当該在庫数を表示させることもできる。例えば、ＰＣ５やハンディターミナル４０で管理された当該商品の在庫数が２着であった場合に、図２２に示すように、ＬＣＤ１３に「残り２着限りです」という画面をリアルタイムに表示させることができる。これにより、店舗内でリアルタイムに商品８の在庫数を把握することができる。
【０１４６】
また、ＬＣＤ１３に上述の情報を表示させる他に、店舗情報を表示させることも可能である。例えば、図２３に示すように、ＰＣ５やハンディターミナル４０を操作して、ＬＣＤ１３に「４／１〜４／７全品半額セール実施します」という店舗に関する情報を表示させることができる。店舗内の商品８に貼着されている電子札７全てに店舗情報をＰＣ５やハンディターミナル４０から送信しても良いし、電子札７にアドレスＩＤ及びグループＩＤが記憶されているので、所定のグループや所定の商品だけに店舗情報を送信することも可能である。因みに、店舗情報は、ＰＣ５やハンディターミナル４０の記憶部に記憶されている。これにより、最新の店舗情報をＬＣＤ１３に表示させることができる。
【０１４７】
また、電子札システム１００Ｂは、スーパーマーケットの食品売り場等でも使用可能である。そのような電子札システム１００Ｂは、図２４に示すように、例えば、店舗内の食品ケース５０に、電子札７が貼着された食品５１が陳列されていて、電子札７と基地局２１１及びハンディターミナル４０とが互いに通信可能なものである。
【０１４８】
このように、本実施の形態に係る電子札システム１００Ｂによれば、電子札７にスイッチ２８及びボタン２９が設けられるので、電子札７のＯＮ／ＯＦＦ状態及び正常／異常状態をＰＣ５及びハンディターミナル４０で管理できる。
【０１４９】
なお、本実施の形態では、スイッチ２８及びボタン２９を本体部１１Ｂの前面側に設けたものを説明したが、これは理解しやすくするためであって、これに限定されるものではない。スイッチ２８及びボタン２９は、顧客が触れない本体部１１Ｂの側面等に設けることが好ましい。
【符号の説明】
【０１５０】
１，１ａ〜１ｇ、６，６ａ〜６ｇ、７，７ａ〜７ｇ  電子札
２  電子札制御装置
３，３ａ〜３ｇ  備品
４  ＰＣコントローラ
５  パーソナルコンピュータ
８，８ａ〜８ｇ  商品
９  ファイル
１１，１１Ａ  本体部
１２  内蔵アンテナ
１３  液晶ディスプレイ
１４  ブザー
１５  発光ダイオード
１６  バーコード
１７，１７Ａ，１７Ｂ  ＣＰＵ
１８  送受信部
１９  データ取得部
２０  画像生成部
２１  画像記憶部
２２  ＬＣＤドライバ
２３  ＲＡＭ
２４  ＲＯＭ
２５  確認信号生成部
２６  受信部
２７  オフ信号生成部
２８  スイッチ
２９  ボタン
３０  商品棚
３１  ファイル棚
４０  ハンディターミナル
１００，１００Ａ，１００Ｂ  電子札システム
２０１  識別情報生成部
２１１，２１２，Ｎ  基地局
【図１】
0006026464.tif 000002
【図２】
0006026464.tif 000003
【図３】
0006026464.tif 000004
【図４】
0006026464.tif 000005
【図５】
0006026464.tif 000006
【図６】
0006026464.tif 000007
【図７】
0006026464.tif 000008
【図８】
0006026464.tif 000009
【図９】
0006026464.tif 000010
【図１０】
0006026464.tif 000011
【図１１】
0006026464.tif 000012
【図１２】
0006026464.tif 000013
【図１３】
0006026464.tif 000014
【図１４】
0006026464.tif 000015
【図１５】
0006026464.tif 000016
【図１６】
0006026464.tif 000017
【図１７】
0006026464.tif 000018
【図１８】
0006026464.tif 000019
【図１９】
0006026464.tif 000020
【図２０】
0006026464.tif 000021
【図２１】
0006026464.tif 000022
【図２２】
0006026464.tif 000023
【図２３】
0006026464.tif 000024
【図２４】
0006026464.tif 000025